(57)【要約】  開示のラップトップテーブルはラップトップステーションを有し、ラップトップコンピュータが載置されている。ラップトップステーションは連結端子セットと電源供給部を一体に有する。ラップトップステーションの連結端子セット及び電源供給部はラップトップコンピュータの外部端子セット及び電源供給部に接続される。ハードディスク、フラッシュメモリー、ＣＤ／ＤＶＤロムドライブのような貯蔵装置がラップトップステーションに一体に設けられている。ラップトップステーションは移動型専用テーブルの支持板の上に載置され、支持板は移動可能であり高さが調節可能である。ラップトップステーションと支持板とは結合部によって互いに着脱可能である。
2009505272.tif 000002
【特許請求の範囲】
【請求項１】
支持板を有する移動型専用テーブルと、
支持板の上に配置され、ラップトップコンピュータの外部端子セット及び電源部と接続される連結端子セット及び電源部が一体に形成されたラップトップステーションと、
ラップトップステーションを移動型専用テーブルの支持板に着脱するために、ラップトップステーションの両側及び後端と移動型専用テーブルの支持板に形成された結合部とを備えている
ことを特徴とするラップトップテーブル。
【請求項２】
移動型専用テーブルは、支持板と、支持板に垂直に取付けられた高さ調節台と、高さ調節ノブによってその高さ位置が調節されるように前記高さ調節台に挿入された支持フレームとを有する
ことを特徴とする請求項１記載のラップトップテーブル。
【請求項３】
前記支持フレームの端部に複数のローラー部が脱着可能に形成されている
ことを特徴とする請求項２記載のラップトップテーブル。
【請求項４】
前記ローラー部は、前記支持フレームの端部に挿入固定された結合端と、前記結合端の内部に３６０度回転可能に取付けられたローラーとを有する
ことを特徴とする請求項３記載のラップトップテーブル。
【請求項５】
高さ調節台に設けられ、無線インターネットのためのモデム及び／または無線ルーターを装着したりサブウーハー用のスピーカー及びアンプを装着するための複合ケースをさらに備えている
ことを特徴とする請求項２記載のラップトップテーブル。
【請求項６】
高さ調整台の一方の側に映像入出力端子、電源スイッチ及び電源コンセントをさらに備えている
ことを特徴とする請求項２記載のラップトップテーブル。
【請求項７】
ラップトップステーションは、傾斜面と、傾斜面の下端に傾斜面から突出するように形成された手首支持台と、傾斜面の上端に形成されるとともに複数のスピーカーが内蔵された傾斜段とを有する
ことを特徴とする請求項１記載のラップトップテーブル。
【請求項８】
ラップトップステーションの傾斜面、手首支持台及び傾斜段が一体に一体に形成されている
ことを特徴とする請求項７記載のラップトップテーブル。
【請求項９】
前記手首支持台の上端にラップトップコンピュータが固定される掛かり段が形成されている
ことを特徴とする請求項７記載のラップトップテーブル。
【請求項１０】
前記傾斜面の一方の側に数字キーパッドをさらに含む
ことを特徴とする請求項７記載のラップトップテーブル。
【請求項１１】
前記手首支持台内にマイクをさらに含む
ことを特徴とする請求項７記載のラップトップテーブル。
【請求項１２】
前記傾斜面に設けられた複数のファングリルと、前記ファングリルの内部にそれぞれ設けられたファンとをさらに備えている
ことを特徴とする請求項７記載のラップトップテーブル。
【請求項１３】
前記ラップトップステーションの一方の側には、マイク連結端子、スピーカー／アンプ入力端子、ウーハー信号出力端子、ＵＳＢ端子、Ｓビデオケーブル、ＨＤＭＩケーブル、ＩＥＥＥ１３９４或いはＹ／Ｐｂ／Ｐｒケーブルのような各種映像入出力端子、ボリュームスイッチ、ファン電源スイッチ、アンプ電源スイッチ及び電源コンセントのうちいずれか一つ以上を含む端子セットが形成されている
ことを特徴とする請求項１記載のラップトップテーブル。
【請求項１４】
前記ラップトップステーションの一方の側には、マイク連結端子、スピーカー／アンプ入力端子、ＵＳＢ端子、映像入出力端子、電源端子のうちいずれか一つ以上を含むコネクター端子が形成されており、コネクター端子はラップトップコンピュータのドッキングステーション用連結端子と連結されるか、またはラップトップコンピュータの各々の端子たちと連結される
ことを特徴とする請求項１記載のラップトップテーブル。
【請求項１５】
前記ラップトップステーションは、前記端子セット或いはコネクターの連結状態や動作状態を監視するためのディスプレイ装置を有する
ことを特徴とする請求項１記載のラップトップテーブル。
【請求項１６】
前記ラップトップステーションの後面には、ラップトップコンピュータのＡＣアダプター及び電源ケーブルが収納される収納部が形成されている
ことを特徴とする請求項１記載のラップトップテーブル。
【請求項１７】
前記収納部がＵＳＢ端子を含む入出力端子及び／または収納電源部を有する
ことを特徴とする請求項１６記載のラップトップテーブル。
【請求項１８】
前記ラップトップステーションに無線マウス用受信機が装着されている
ことを特徴とする請求項１記載のラップトップテーブル。
【請求項１９】
前記ラップトップステーションにデータ貯蔵装置を含む
ことを特徴とする請求項１記載のラップトップテーブル。
【請求項２０】
前記データ貯蔵装置は、ハードディスクドライブ、フラッシュメモリーまたはＣＤ／ＤＶＤロムドライブのうち少なくともいずれか一つを含む
ことを特徴とする請求項１９記載のラップトップテーブル。
【請求項２１】
前記データ貯蔵装置は自動実行ファイルを有しており、ラップトップコンピュータがラップトップテーブルに連結された時、ラップトップコンピュータのデータがインターネット接続を介して自動的にデータ貯蔵装置にバックアップされる
ことを特徴とする請求項１９記載のラップトップテーブル。
【請求項２２】
ラップトップステーションの後部における前記収納部の両側に空気循環のためのグリルが設けられている
ことを特徴とする請求項１６記載のラップトップテーブル
【請求項２３】
前記結合部は、移動型専用テーブルの支持板の両側及び後端にそれぞれヒンジ結合された回転可能な複数の結合板と、各結合板にそれぞれ対応するようにラップトップステーションに形成され、それぞれ内部に突起段が形成された結合溝とを有する
ことを特徴とする請求項１記載のラップトップテーブル。
【請求項２４】
前記結合板の端部には対応する突起段に係合する鉤部が設けられている
ことを特徴とする請求項２３記載のラップトップテーブル。
【請求項２５】
傾斜面と、
傾斜面の下端に傾斜面から突出するように形成された手首支持台と、
傾斜面の上端に形成されるとともに複数のスピーカーが内蔵された傾斜段とを備え、
ラップトップコンピュータの外部端子セット及び電源部と接続される連結端子セット及び電源部が一体に形成されている
ことを特徴とするラップトップステーション。
【請求項２６】
前記傾斜面、手首支持台及び傾斜段が一体に形成されている
ことを特徴とする請求項２５記載のラップトップステーション。
【請求項２７】
前記傾斜面の一方の側に数字キーパッドをさらに備えている
ことを特徴とする請求項２５記載のラップトップステーション。
【請求項２８】
前記手首支持台の内部にマイクをさらに備えている
ことを特徴とする請求項２５記載のラップトップステーション。
【請求項２９】
前記傾斜面に設けられた複数のファングリルと、前記ファングリルの内部にそれぞれ設けられたファンとをさらに備えている
ことを特徴とする請求項２５記載のラップトップテーブル。
【請求項３０】
前記連結端子セット或いはコネクターの連結状態や動作状態を監視するために傾斜段に設けられたディスプレイ装置をさらに備えている
ことを特徴とする請求項２５記載のラップトップステーション。
【請求項３１】
前記傾斜面の一方の側に、マイク連結端子、スピーカー／アンプ入力端子、ＵＳＢ端子、Ｓビデオケーブル、ＨＤＭＩケーブル、ＩＥＥＥ１３９４ケーブル或いはＹ／Ｐｂ／Ｐｒケーブルのような各種映像入出力端子、ボリュームスイッチ、ファン電源スイッチ、アンプ電源スイッチ及び電源コンセントのうち少なくとも一つ以上を含む端子セットが形成されている
ことを特徴とする請求項２５記載のラップトップステーション。
【請求項３２】
前記傾斜面の一方の側に、マイク連結端子、スピーカー／アンプ入力端子、ＵＳＢ端子、映像入力端子、電源端子のうちいずれか一つ以上を含むドッキング用コネクター端子が形成されている
ことを特徴とする請求項２５記載のラップトップステーション。
【請求項３３】
前記コネクター端子は、ケーブルを介してラップトップコンピュータのドッキングステーション用連結端子と連結されたり、またはラップトップコンピュータの各々の端子と連結される
ことを特徴とする請求項３２記載のラップトップステーション。
【請求項３４】
前記傾斜面の後部には、ラップトップコンピュータのＡＣアダプター及び電源ケーブルが収納される収納部が設けられている
ことを特徴とする請求項２５記載のラップトップステーション。
【請求項３５】
前記収納部はＵＳＢ端子を含む入出力端子及び／または収納電源部を有する
ことを特徴とする請求項３４記載のラップトップステーション。
【請求項３６】
前記傾斜面内にデータ貯蔵装置を含む
ことを特徴とする請求項２５記載のラップトップステーション。
【請求項３７】
前記データ貯蔵装置は、ハードディスクドライブ、フラッシュメモリーまたはＣＤ／ＤＶＤロムドライブのうち少なくともいずれか一つを含む
ことを特徴とする請求項３６記載のラップトップステーション。
【請求項３８】
前記データ貯蔵装置は自動実行ファイルを有しており、ラップトップコンピュータがラップトップテーブルに連結された時、ラップトップコンピュータのデータがインターネット接続を介して自動的にデータ貯蔵装置にバックアップされる
ことを特徴とする請求項３６記載のラップトップテーブル。
【請求項３９】
その後部における前記収納部の両側に空気循環のためのグリルをさらに含む
ことを特徴とする請求項３４記載のラップトップステーション。
【請求項４０】
前記傾斜段に無線マウス用受信機が装着されている
ことを特徴とする請求項２５記載のラップトップステーション。
【発明の詳細な説明】
【技術分野】
【０００１】
本発明は、ラップトップコンピュータ専用ラップトップテーブルに関するもので、より詳細には、ラップトップコンピュータの設置されるラップトップステーションにラップトップコンピュータの外部端子セット及び電源部と相互連結される連結端子セット、電源部、ハードディスクドライブ、フラッシュメモリーセットのような貯蔵装置及びCD/DVDロムドライブのような光学貯蔵装置を含むデーター貯蔵装置を一体型で内部に設置し、移動と高さ調節ができるように移動型専用テーブルの上の支持板に前記ラップトップステーションをおき、結合部によって移動型専用テーブルと装着及び分離が容易に行われるように構成されるラップトップテーブルに関するものである。
【背景技術】
【０００２】
従来のコンピュータテーブルは、主にデスクトップ用で、主上板の上にコンピュータモニター及びスピーカーを置き、前記主上板の下部にはキーボードが設置できるように引き出しを形成して、主上板の上にキーボードが置かれる空間を省こうとしていた。
【０００３】
一方、ラップトップコンピュータは一般的に携帯用と認識され、別途のラップトップコンピュータ用の専用テーブルに対する研究はほとんど行われていなかった。
【０００４】
しかし、使用者がラップトップコンピュータを机に置いて使用する場合は、ラップトップコンピュータの周辺機器やケーブルが限定された空間である机を占めて設置が容易でない。ラップトップコンピュータを机の上に設置した後の使用においても、周辺機器たちが複雑に入り組んでいて整理が難しい。ラップトップコンピュータを使用者の膝において使用する時は、ラップトップコンピュータから発生する熱のため使用者が不快を感ずる場合があった。従って、使用者が膝の上でラップトップコンピュータを快適に使用するのは難しい。
【０００５】
また、一般移動型テーブルの上にラップトップコンピュータを置き、使用者がソファーに座って作業する場合、移動型テーブルの車輪が大きく、前記車輪の装着されたフレームの太さが太いので、移動型テーブルのフレームがソファーの下部の空間に入らない。このため、前記一般移動型テーブルを使用者の手前に引っ張って作業することができず、ラップトップコンピュータを使用するのに不便であった。
【０００６】
また、従来のコンピュータテーブルは、ラップトップコンピュータを構成する周辺機器や各種ケーブルを収納または設置する十分な空間を持っていない。このため、周辺機器やケーブルがきちんと整理されず、従来のコンピュータテーブル上で使用者がラップトップコンピュータを操作するための空間が十分に提供されず、ラップトップコンピュータを使用するのに不便であった。
【発明の開示】
【発明が解決しようとする課題】
【０００７】
そこで、本発明は、前記のような従来の問題点を解消しようと創案されたもので、ラップトップコンピュータの周辺機器がきちんと設置されるように、移動型専用テーブルの支持板に確実に固定されたラップトップステーションを有するラップトップテーブルの提供を目的とするものであり、また、ＡＣアダプターやケーブルの取外しを要することなく、ラップトップステーションが移動型専用テーブルから取外されるようにし、使用者がどこでも容易且つ便利にラップトップコンピュータを使用できるようにすることを目的とするものである。
【０００８】
また、本発明の他の目的は、ラップトップステーションと移動型専用テーブルの結合と分離がワンタッチで容易に行われるようにすることを目的とする。
【０００９】
また、本発明の他の目的は、ラップトップテーブルが使用者によって便利に使用され得るように、ラップトップステーションが移動型専用テーブルに連結されている状態で、移動型専用テーブルを使用者側に引き寄せることができるようにすることであり、また、ラップトップテーブルが使用者によって便利に使用され得るように、ラップトップステーションが移動型専用テーブルに連結されている状態で、使用者がラップトップステーションを移動型専用テーブルに対して前方に移動できるようにすることであり、一方、ラップトップテーブルが使用者によって便利に使用され得るように、ラップトップステーションを移動型専用テーブルから取外し可能にすることである。
【００１０】
また、本発明の他の目的は、ラップトップステーションと移動用テーブルがお互い分離された場合でも、無線ルーターなどを利用してインターネットのような通信機能をそのまま利用できるようにすることを目的とする。
【００１１】
また、本発明の他の目的は、手首支持台をラップトップステーションの下部に設置して、手首の疲労を軽減させながらラップトップコンピュータを使用できるようにすることを目的とする。
【００１２】
また、本発明の他の目的は、ラップトップコンピュータから発生する熱を減らすことができるようにすることを目的とする。
【００１３】
また、本発明の他の目的は、ラップトップコンピュータの音響出力を補強して、より良い音質を提供することを目的とする。
【課題を解決するための手段】
【００１４】
このような本発明の目的を達成するために、本発明によるラップトップテーブルは、支持板を有する移動型専用テーブルと、支持板の上に配置され、ラップトップコンピュータの外部端子セット及び電源部と接続される連結端子セット及び電源部が一体に形成されたラップトップステーションと、一体に設けられたハードディスクドライブやフラッシュメモリーセットのような貯蔵装置及びＣＤ／ＤＶＤロムドライブのような光学貯蔵装置と、ラップトップステーションを移動型専用テーブルの支持板に着脱するために、ラップトップステーションの両側及び後端と移動型専用テーブルの支持板に形成された結合部とを備えている。
【００１５】
好ましくは、移動型専用テーブルは、支持板の下部に垂直に取付けられた高さ調節台と、高さ調節ノブによってその高さ位置が調節されるように前記高さ調節台に挿入された支持フレームと、移動型専用テーブルの移動のために支持フレームの端部に脱着可能に形成された複数のローラー部とを備えている。
【００１６】
好ましくは、前記高さ調節台は、無線インターネットのためのモデム及び／または無線ルーター、ＲＧＢケーブル、Ｙ／Ｐｂ／Ｐｒ端子、ＨＤＭＩケーブル或いはＳビデオケーブルのための各種映像入出力端子、電源スイッチ及び電源コンセントを必要によって内蔵したり装着するように構成される。
【００１７】
好ましくは、前記ラップトップステーションは、傾斜面と、傾斜面の下端に傾斜面から突出するように形成された手首支持台と、傾斜面の上端に形成されるとともに複数のスピーカーが内蔵された傾斜段とを有する。また、前記ラップトップステーションは、音声チャッティング時にヘッドセットを使わずに通話できるように手首支持台に内蔵された小さなマイクと、ラップトップコンピュータからの発熱を放熱するために傾斜面に設けられた複数のファングリルと、ファングリル内にそれぞれ設けられたファンとを有する。
【００１８】
好ましくは、前記ラップトップステーションの一方の側には、マイク連結端子、スピーカー／アンプ入力端子、ＵＳＢ端子、ＩＥＥＥ１３９４ケーブル、Ｓビデオケーブル、Ｙ／Ｐｂ／ＰｒケーブルまたはＲＧＢケーブルのための各種映像入出力端子、ボリュームスイッチ、ファン電源スイッチ、アンプ電源スイッチ及び電源コンセントのうちいずれか一つ以上を含む端子セットが形成されている。
【００１９】
一方、マイク連結端子、スピーカー／アンプ入力端子、ＵＳＢ端子とＳビデオケーブル、Ｙ／Ｐｂ／Ｐｒケーブル、或いはＲＧＢケーブルのための各種映像入出力端子は多数のピンを有する標準化された連結端子から構成することが可能であり、これにより、標準化された連結端子を介してラップトップコンピュータのドッキングステーションの連結ポートやラップトップコンピュータの各種端子が各種外部機器や端子と容易且つ簡便に接続される。
【００２０】
また、前記ラップトップステーションにはハードディスクドライブまたはフラッシュメモリーセットのような貯蔵装置が内蔵され、ラップトップコンピュータの補助記憶装置として活用されるとともに、ラップトップコンピュータの紛失やハードディスクの故障によってデータが消失される場合に備えたデータ自動バックアップ装置としても活用される。
【００２１】
また、ラップトップステーションにＣＤ／ＤＶＤロムドライブのような光学貯蔵装置が内蔵され、使用者が音楽、映画及びプログラムをインストールするのに便利である。
【００２２】
また、ラップトップステーションに簡単なディスプレイ装置、例えばＬＣＤ、或いはＬＥＤを設置して、各種ケーブルの端子連結状態、或いは作動状態などを監視することができる。
【００２３】
前記ラップトップステーションの後部には、ＵＳＢ端子を含む入出力端子及び前記ラップトップコンピュータのＡＣアダプター及び電源ケーブルを収納し、内部に電源部と連結されて電力を供給するＡＣ電源出力コンセントの具備された収納部が設けられている。また、前記収納部の両側に空気循環グリルを更に含む。一方、ラップトップステーションの一側面に具備された前記端子セット或いはドッキングコネクターに対応する外部装置或いは端子への出力端子をラップトップステーションの後部の収納部に配置し、ケーブルの配線を簡単で単純化できるようにすることも可能である。
【００２４】
前記ラップトップステーションは、前記テーブルの支持板の両側及び後端に設置された結合部によって、前記テーブルへの固定または分離が容易である。
【００２５】
好ましくは、前記結合部は、移動型専用テーブルの支持板の両側及び後端にヒンジ結合して回転するように構成された結合板と、前記結合板にそれぞれ対応するようにラップトップステーションの両側及び後端に形成された結合溝とを有し、結合板の一端に設けられた鉤部が結合溝内に設けれた突起段とそれぞれ係合することにより、結合板が対応する結合溝としっかりと係合するようになっている。
【発明の効果】
【００２６】
上述したように、本発明は、ラップトップコンピュータの外部端子セット及び電源部が一体に形成されたラップトップステーションを移動用専用テーブルに固定して使用したり、専用テーブルから分離して使用することができるようにすることによって、前記ラップトップコンピュータを構成する周辺付属品の設置に気をつかわず、使用者が前記ラップトップコンピュータを望みの場所で楽な姿勢で使用することができるという効果を有する。
【００２７】
また、本発明は、前記ラップトップステーションの後面及び高さ調節台に電源部を形成して、ラップトップコンピュータの使用に必要な電源との連結が場所とコンセントの位置に関係なく容易になり、外部装置との連結が多様になるという効果を有する。
【００２８】
また、前記ラップトップコンピュータから発生する発熱を減らすことができるように、前記傾斜面に複数のファンを有しているので、ラップトップコンピュータの過昇温が防止され、前記ラップトップコンピュータを長時間使用することができるという効果を有する。
【００２９】
また、ラップトップステーションに内蔵されたアンプ、スピーカー或いはテーブルの下端へのサブウーハー装着などにより、前記ラップトップコンピュータの音響出力をより補強し、より良い音質が伝達されるようにする効果を有する。
【００３０】
さらに、ラップトップステーションの後部に形成された収納部に電源ケーブル、アダプター及び他のケーブルがきちんと収納され、電源ケーブルを上部電源供給装置と接続するための収納電源部が収納部に具備されている。このため、ラップトップコンピュータが使用される際にケーブルの配置を容易に行うことができ、電力を供給するための別途の電源ケーブルを設置する必要がない。従って、ラップトップコンピュータに必要なケーブルの数を減らすことができる。
【００３１】
また、ラップトップステーションに内蔵されたハードディスクドライブまたはフラッシュメモリーセットのような貯蔵装置を利用して、ラップトップコンピュータをラップトップステーションに連結時、自動的にデータが前記貯蔵装置にバックアップすることができ、エラーによるデータ損失を防止する効果を有する。
【００３２】
また、ラップトップステーションにＣＤ／ＤＶＤロムドライブのような光学貯蔵装置が内蔵されて、使用者が音楽、映画及びプログラムをダウンロードするのに便利である。
【００３３】
さらに、ラップトップコンピュータに必要な各種付属機器がラップトップステーションまたはラップトップテーブルに設けられているので、ラップトップコンピュータの重量を大幅に低減することができ、ラップトップコンピュータの可動性及び利便性を大幅に向上することができる。
【００３４】
尚、本発明の好ましい実施例は例示の目的で説明されたものであり、添付のクレイムに説明されているような発明の見地からの分離なしに、この分野の当業者は色々な変更、追加、補足を行うことが可能である。
【発明を実施するための最良の形態】
【００３５】
以下、添付の図面を参照しながら本発明の好ましい実施例を詳細に説明する。
【００３６】
図１は本発明における第１実施例のラップトップテーブルの斜視図である。
【００３７】
図１に示されるように、ラップトップステーション１００は移動型専用テーブル２００の支持板２２０の上に置かれている。支持板２２０の両側及び後端に形成された結合部２１０によりラップトップステーション１００が支持板２２０と結合または分離されるようにラップトップステーション１００が構成されている。
【００３８】
図２は図１に示された本発明の第１実施例におけるラップトップテーブルの分解斜視図であり、図３は図１に示された本発明の第１実施例におけるラップトップテーブルの側面図であり、図４は図１に示された本発明の第１実施例におけるラップトップテーブルのブロック図である。
【００３９】
図２及び図３に示されるように、ラップトップステーション１００は、その一方の側面に、モジュール形態で形成された各種端子や電源部を含む上部端子セット１１０が設けられている。特に、上部端子セット１１０は、ラップトップコンピュータに音声を入力するために必要なマイク連結端子１１６と、ラップトップコンピュータからラップトップステーションのスピーカーや外部のスピーカーに音声を出力するために必要なスピーカー／アンプ入力端子１１５と、ラップトップコンピュータをＵＳＢ（ｕｎｉｖｅｒｓａｌ  ｓｅｒｉａｌ  ｂｕｓ  ｐｏｒｔ）を利用した各種周辺機器と接続するのに必要なＵＳＢ端子１１７と、外部の映像信号をラップトップコンピュータに入力するのに必要なＩＥＥＥ１３９４ケーブル、Ｓビデオ入力、Ｙ／Ｐｂ／Ｐｒケーブル、ＨＤＭＩケーブル、またはＲＧＢケーブルのための映像入力端子１１８−１及び映像出力端子１１８−２と、スピーカー端子に連結されて音量を調節するためのボリュームスイッチ１１４と、ラップトップステーションに設けられた冷却用ファンを駆動するために必要なファン電源スイッチ１１３と、ラップトップステーションに設けられたアンプを駆動するために必要なアンプ電源スイッチ１１２と、及びＡＣ電源供給コンセント１１１とを含んでいる。上部端子セット１１０は必要に応じてモジュール形態に形成される。
【００４０】
一方、有線マウスは、ラップトップコンピュータのＵＳＢポートに直接連結されるので、これに関する詳細な説明は省略する。これに対し、ラップトップステーション１００内のＵＳＢポートと連結された無線マウス受信機１９２及び無線マウス１９３が使用されると、マウス線なしで便利なコンピューティング環境を造成することができる。
【００４１】
図３は図１に示されている本発明の第１実施例におけるラップトップテーブルの側面図である。図３に示されているように、ラップトップテーブルには、端子、スイッチ、電源部を含む下部端子セット２２１が設けられている。特に、下部端子セット２２１は、下部装置に電源を供給するための下部ＡＣ電源出力コンセント２２４と、下部ＡＣ電源出力コンセント２２４への電力供給をオン／オフするための下部電源スイッチ２２３と、ラップトップコンピュータの電源プラグが連結されるＡＣ電源供給コンセント２２２と、映像／音響入力端子２２５と、映像／音響出力端子２２６とを有する。下部端子セット２２１はサブウーハー用オーディオ信号端子２２７、電源ヒューズホルダーを含むことができる。
【００４２】
図４は本発明のブロック図である。図４に示されているように、ラップトップステーション１００は、上部端子セット１１０と、ＡＣ１１０Ｖ〜ＡＣ２２０Ｖの交流（ＡＣ）電圧を例えばＤＣ５Ｖ、ＤＣ１２Ｖ、ＤＣ１６Ｖ等の直流（ＤＣ）電圧に変換するための変圧部及び交流電流を直流電流に整流するための整流器を有する電源供給機５１０と、ラップトップコンピュータの出力端子と接続されている上部端子セット１１０のスピーカー／アンプ入力端子１１５から入力される音声を所定レベルに増幅するための増幅器５２０と、増幅器５２０によって増幅された音声を外部に出力するための左、右スピーカー１６１とを含む。ラップトップステーション１００は、音声を入力するためのマイク１２１と、数字及び機能信号を入力するための数字キーパッド１９１と、数字キーパッド１９１を介して入力される機能信号を受信して処理するためのキーパッドコントローラー５３０とをさらに含む。
【００４３】
また、ラップトップステーション１００は、ディスプレイのための制御信号を発生するディスプレイコントローラー５４０と、ディスプレイコントローラー５４０と接続されて機能やデータを画面に表示するディスプレイ装置１７０と、ファン１５０を駆動するための駆動モーター５５０とをさらに含む。加えて、ラップトップステーション１００は、データ通信のためのＵＳＢ端子１８４、過電圧遮断のためのヒューズホルダー１８５及び電源供給部５６１を収容するための収納部１８０とを含む。
【００４４】
一方、図５に示されているように、ラップトップテーブルは、外部のテレビジョンセット６００との映像接続のための映像出力端子２２６を有する下部端子セット２２１と、複合ケース２６０の内部に電源を供給する電源供給部６１０と、上部端子セット１１０のウーハーアンプ出力端子１１９と下部端子セット２２１のウーハー信号入力端子２２７が連結されて出力される低音のオーディオ信号を駆動及び増幅する増幅器と、増幅器６２０の出力信号を外部に出力するスピーカーとを含む。
【００４５】
図６は、ラップトップコンピュータ３００と上部端子セット１１０との連結構成を示したものである。図示されているように、ラップトップコンピュータ３００のＳＰ端子（SP Out）と上部端子セット１１０のスピーカー／アンプ入力端子１１５がバンドルケーブル１によって互いに接続され、ラップトップコンピュータ３００のマイク端子（MIC Input）と上部端子セット１１０のマイク連結端子１１６がバンドルケーブル２によって互いに接続され、ラップトップコンピュータ３００のＵＳＢ端子と上部端子セット１１０のＵＳＢ端子１１７がバンドルケーブル３によって互いに接続され、ラップトップコンピュータ３００の映像端子（S-Video Out）と上部端子セット１１０の映像入力端子１１８-１がバンドルケーブル４によって互いに接続されている。
【００４６】
図１１は、上部端子セット１１０とラップトップコンピュータ３００を図１４のようなドッキングコネクター７００を利用して接続する場合の連結構成図である。図４と対比して見ると、上部端子セット１１０のスピーカー／アンプ端子１１５、マイク連結端子１１６、USB端子１１７及び映像入力端子１１８と、ラップトップステーションの電源供給機５１０からラップトップコンピュータに電源を供給する連結端子は、単一のコネクターに連結されている。
【００４７】
図１２は、前記ドッキングコネクター７００を使用する場合の下部端子セット２２１の連結構成図であり、図１３は、前記ドッキングコネクター７００を利用してラップトップコンピュータ３００と上部端子セット１１０を連結する場合を示したものである。図１３に示したとおり、上部端子セット１１０のスピーカー／アンプ入力端子１１５、マイク端子１１６、ＵＳＢ端子１１７及び映像入力端子１１８-１はラップトップコンピュータ３００にドッキングコネクター７００を介して連結されている。さらに、ドッキングコネクター７００を介してラップトップステーションの電源供給機５１０からラップトップコンピュータに電力が供給される。従って、本発明のラップトップステーションはより便利に使用可能である。
【００４８】
一方、前述のようにラップトップステーション１００に具備された端子セットに含まれる各種端子を一つのドッキングコネクターに製作してラップトップステーションに配置することも可能である。
【００４９】
ドッキングステーションがラップトップコンピュータのドッキングコネクター連結端子と連結されるようにドッキングコネクターをラップトップステーションに固定することが可能である。反対に、ドッキングステーションがラップトップコンピュータのドッキングコネクター連結端子と直接連結されるようにドッキングコネクターを取外すことも可能である。
【００５０】
複数のピンを介して各種データ及び制御信号をラップトップコンピュータとの間で送受信するとともにラップトップコンピュータに電力を供給するドッキングコネクター連結端子がラップトップステーションの外側に設けられている。ドッキングコネクター連結端子は、ラップトップステーションの一側に具備されているドッキングコネクター７００と連結したり、或いは別途のケーブルを介して各々の端子に連結されている。従って、ラップトップコンピュータをラップトップステーションの後部の収納部の各出力端子と連結したり各外部装置と連結することができる。このようなドッキングコネクターの各ピンたちの役割は、製造者によって、製品によって任意に決定することができ、コネクター及び上板のコネクターとラップトップコンピュータのコネクターを連結するためのケーブルに関する構成は既に公知の技術なので、詳細な説明は省略する。
【００５１】
また、ラップトップステーションの傾斜段１６０の所定の位置にディスプレイ装置１７０を具備することも可能である。例えば、小型のＬＣＤ或いは多数のＬＥＤを設置し、前述した端子セットやコネクターの連結や作動状態を監視することができる。具体的には、電源のＯＮ／ＯＦＦ、連結されている端子の種類及び作動状態、音量が表示される。加えて、時計機能のような他の機能も具現可能である。連結されている各端子の電圧や電流が検知され、そのレベルを測定してＬＥＤを点灯させたり、あらかじめ定められた文字またはイメージがＬＣＤ上に表示されたりする。このようなディスプレイのための技術は良く知られているので、詳細な説明は省略する。
【００５２】
前記ラップトップステーション１００は傾斜面１４０を有する。前記傾斜面１４０の下端には前記傾斜面１４０から突出している手首支持台１２０が形成され、その内部にはマイク１２１が内蔵されている。前記手首支持台１２０の上端にはラップトップコンピュータを滑り落ちることから防止するための掛かり段１３０が形成されている。前記傾斜面の上面には傾斜段１６０が形成され、前記傾斜段１６０内に多数のスピーカー１６１が内蔵されている。
【００５３】
前記手首支持台１２０は、ラップトップコンピュータのキーボードを楽な姿勢で長時間使用することができるように、使用者の手首が前記手首支持台１２０に密着するように構成するのが好ましい。前記手首支持台１２０の形状は使用者の身体条件によって多様に変更することができる。
【００５４】
また、前記手首支持台１２０の上端に形成された掛かり段１３０は、前記ラップトップコンピュータの下端が密着してラップトップコンピュータが動かないように、垂直または内部に凹むように形成するのが好ましい。
【００５５】
また、前記ラップトップステーション１００の傾斜面１４０、手首支持台１２０および傾斜段１６０をプラスチックで一体に形成するのが生産単価及び組立単価面で好ましい。
【００５６】
前記ラップトップステーション１００の傾斜面１４０には多数のグリルが形成され、前記グリルの下に多数のファン１５０が設けられている。前記ラップトップコンピュータがラップトップステーション１００に設置された時に、ラップトップコンピュータが前記ファン１５０によって冷却され、前記ラップトップコンピュータから発生する熱を減らすことができる。前記ファンの数と位置はラップトップコンピュータのサイズ及び容量によって多様に構成することができる。
【００５７】
前記傾斜面１４０の上端に形成された傾斜段１６０の内部に装着されたスピーカー１６１は、内部のオーディオアンプによって駆動され、前記外部端子セットのうちのラップトップコンピュータのスピーカー端子から音声信号の伝達を受けて音声を出力する。前記スピーカー１６１は、使用者と対向する位置に設置されるのが好ましい。
【００５８】
また、ラップトップステーション１００には、マウス使用のためのパッド１９０、或いは数字キーパッド１９１を設置することもできる。一般的に、多くのラップトップコンピュータは、大型の製品を除いて、０〜９までの数字とエンタキーなどのいくつかのボタンを集めた数字キーパッドを別途に含まないのが通常である。しかし、スプレッドシート、或いは計算作業で数字キーパッドが使用されると、業務効率は相当に改善される。このような数字キーパッド１９１は、ラップトップステーション内部のＵＳＢ端子を介してラップトップコンピュータと連結され、ラップトップステーションの左側部あるいは右側部の使用者が使い易い位置にモジュール形式で載置される。使わない場合に数字キーパッド１００が適度に保護されるように、数字キーパッドを数字キーパッドカバーで覆うことも可能である。数字キーパッド１００が使用される時、数字キーボードカバーは取外され、数字キーパッド１００が使用されない時、数字キーパッドは数字キーボードカバーによって覆われる。従って、利便性は向上する。また、マウス用パッド１９０はその上に置かれた光マウス（図示せず）の誤作動を効果的に防止するために使用され、光マウスの使用感を向上するために使用される。ラップトップステーションの所定位置にマウス用パッド１９０を固定することも可能であり、脱着自在に取付けることも可能である。
【００５９】
移動用専用テーブル２００は、前記ラップトップステーション１００を支持する支持板２２０と、前記支持板２２０の下部に付着される高さ調節台２３０と、高さ調節ノブ２４２（支持フレーム２４０に設けられている）によって高さ調節台２３０の高さが調節されるように高さ調節台２３０が挿入された支持フレーム２４０と、前記支持フレーム２４０の下端に付着された３６０度回転可能な複数のローラー部２５０とを有する。
【００６０】
前記支持板２２０は、高さ調節台２３０と直接連結される下部支持板と、前記下部支持板の上に配置されるとともにプラスチック材質から成り、ラップトップステーションが装着される上部支持板とから構成可能である。
【００６１】
前記支持フレーム２４０の端部に挿入固定されるローラー部２５０は、結合端２５１とローラー２５２とに区分され、結合端２５１は、前記支持フレーム２４０の端部に挿入され、締結ネジ２５３によって固定される構造で形成され、前記ローラー部２５０の内部に３６０度回転可能なローラー２５２が回転可能に固定される。
【００６２】
前記支持フレーム２４０の端部に設けられたローラー部２５０は、結合端２５１とローラー２５２とから構成可能である。結合端２５１は、前記支持フレーム２４０の端部に挿入されるとともに、締結ネジ２５３によって支持フレーム２４０の端部に固定され、各ローラー２５２は結合端２５１の内部に３６０度回転可能に取付けられている。
【００６３】
好ましくは、前記支持フレーム２４０に挿入される前記結合端２５１の所定位置に貫通孔が形成され、締結ネジ２５３が挿入されて前記結合端２５１が支持フレーム２４０に結合される。前記締結ネジ２５３が貫通孔から取外されることにより、前記結合端２５１が支持フレーム２４０から分離される。
【００６４】
また、前記ローラー２５２は、前記結合端２５１の内部から外部に一部突出されるように構成され、床と離隔される空間が小さなソファーの下端に前記ローラー部２５０が出入りできるように構成するのが好ましい。
【００６５】
図７は図１に示した本発明の第１実施例におけるラップトップテーブルの斜視図であり、ラップトップステーション１００の背面を図示している。図７に示されているように、前記ラップトップステーション１００の後面には、前記ラップトップコンピュータの電源ケーブルとＡＣアダプターを収納するための収納部１８０が形成されている。前記収納部１８０は、前記電源ケーブルを前記上部端子セット１１０と連結する電源出力コンセント１８１を更に含んでいる。一方、ラップトップステーション１００の後面には、前述した前記端子セット或いはドッキングコネクターに対応する出力端子を設置することができる。このような出力端子は、ラップトップコンピュータからの信号を前記ラップトップステーションの端子セット或いはコネクターを介して受信し、受信した信号を例えばＵＳＢ連結方式の各種周辺機器などの外部の装置に送信することが可能である。このような構成を介して、ラップトップコンピュータの使用者は、簡単に外部の多様な装置とラップトップコンピュータを連結して使用することができる。
【００６６】
前記収納部１８０に設けられた収納空間は、ラップトップコンピュータなどのためのUSBポートを介して連結可能ないろいろな小型外部装置などを収納することもできる。
【００６７】
前記収納部１８０に収納された各種装置は、前記収納部１８０内に具備された電源出力コンセント１８１または収納空間内のＵＳＢ端子を介して電源の供給を受ける。前記電源出力コンセント１８１が電源供給機１１０から電力を受けられるように、電源出力コンセント１８１は上部端子セット１１０に電気的に接続されている。
【００６８】
また、前記ラップトップステーションには、ハードディスクドライブとフラッシュメモリーセットのような貯蔵装置５８０が内蔵されている。さらに、ラップトップコンピュータには、ＣＤ/ＤＶＤロムドライブのような光学貯蔵装置５７０が内蔵されている。従って、使用者が音楽、映画及びプログラムをインストールするのに便利である。
【００６９】
図１５に示したとおり、前記ラップトップステーションに内蔵されたハードディスクドライブまたはフラッシュメモリーのような貯蔵装置５８０のコントローラー内に自動実行ファイル（AUTOEXEC.bat）を設けており、ラップトップコンピュータのコネクター連結端子とラップトップステーションのドッキングコネクターとを連結すると、自動的にラップトップコンピュータからインターネット接続が実行される。ラップトップコンピュータがホストコンピュータにインターネットで連結された後、使用者が放棄声明書に承諾をすると、ホストコンピュータにラップトップステーション使用者の基本的な情報が貯蔵される。
【００７０】
その後、ラップトップコンピュータに貯蔵されたファイル全体をラップトップステーション内の貯蔵装置にコピーすることを使用者が要請すると、使用者のラップトップコンピュータのウィンドウＯ／Ｓ（Windows（登録商標） 95, 98, ME, XP）内の（C:\windows\commandディレクトリー内の）XCOPY命令語が実行され、ラップトップコンピュータのデータがラップトップステーション貯蔵装置のバックアップ用パーティションにコピーされてバックアップファイルが作成され、データバックアップ完了メッセージ或いはエラーメッセージが表示される。
【００７１】
ラップトップステーション１００の後部には前記収納部１８０を覆うための蓋１８２が設けられ、ラップトップステーション１００の後部における前記収納部１８０の両側には、前記傾斜面１４０に装着されたファン１５０を介して循環される空気をラップトップステーション１００内に流入または流出させるグリルが形成されている。
【００７２】
図８及び図９は、図１に示された本発明の第１実施例におけるラップトップテーブルの結合部の動作をそれぞれ示した断面図である。図８は結合部が動作する前の断面図であり、図９は結合部が動作した後の断面図である。図８及び図９に示されているように、結合部２１０は、前記支持板２２０の両側面及び後面にヒンジ結合されて回転可能な結合板２１２と、各結合板２１２にそれぞれ対応するようにラップトップステーション１００に設けられた結合溝２１１とを備え、結合板２１２は対応する結合溝２１１と確実に係合し、結合板２１２の端部に形成された鉤部分が結合溝２１１に形成された突起段２１３に保持されるようになっている。前記突起段２１３の形成された結合溝２１２は、ラップトップステーション１００の両側面及び後面に形成され、また、ラップトップステーション１００が所望の位置に配置されるまで使用者がラップトップステーション１００を使用者側に引き寄せられるように構成され、ラップトップステーション１００が移動専型専用テーブル２００に取付けられている状態で使用者がラップトップステーション１００を使用できるように構成されている。
【図面の簡単な説明】
【００７３】
【図１】本発明の第１実施例を示したラップトップテーブルの斜視図
【図２】図１に示されている本発明の第１実施例におけるラップトップテーブルの分離斜視図
【図３】図１に示されている本発明の第１実施例におけるラップトップテーブルの側面図
【図４】端子セットの連結を示すブロック図
【図５】上部端子セットと下部端子セットとの連結を示すブロック図
【図６】ラップトップコンピュータと上部端子セットとの連結を示すブロック図
【図７】図１に示されている本発明の第１実施例におけるラップトップテーブルの後部を示した斜視図
【図８】結合部の動作が行われる前の断面図
【図９】結合部の動作が行われた後の断面図
【図１０】本発明の第２実施例においてラップトップテーブルのラップトップステーションに設けられたドッキングコネクターを示すラップトップテーブルの斜視図
【図１１】ドッキングコネクターを用いた上部端子セットとドッキングコネクターとの連結を示すブロック図
【図１２】上部端子セットと下部端子セットとの連結を示すブロック図
【図１３】ラップトップステーションの端子セット間の連結を示すブロック図
【図１４】図１０に示されているドッキングコネクターを示す断面図
【図１５】自動データバックアップを示すフローチャート
【図１】
2009505272.tif 000003
【図２】
2009505272.tif 000004
【図３】
2009505272.tif 000005
【図４】
2009505272.tif 000006
【図５】
2009505272.tif 000007
【図６】
2009505272.tif 000008
【図７】
2009505272.tif 000009
【図８】
2009505272.tif 000010
【図９】
2009505272.tif 000011
【図１０】
2009505272.tif 000012
【図１１】
2009505272.tif 000013
【図１２】
2009505272.tif 000014
【図１３】
2009505272.tif 000015
【図１４】
2009505272.tif 000016
【図１５】
2009505272.tif 000017
【手続補正書】
【提出日】平成19年7月12日(2007.7.12)
【手続補正１】
【補正対象書類名】図面
【補正対象項目名】図４
【補正方法】変更
【補正の内容】
【図４】
2009505272.tif 000018
【手続補正２】
【補正対象書類名】図面
【補正対象項目名】図１１
【補正方法】変更
【補正の内容】
【図１１】
2009505272.tif 000019
【国際調査報告】
2009505272.tif 000020
2009505272.tif 000021